(57)【特許請求の範囲】
【請求項１】
回転操作及び傾倒操作されるダイヤルと、そのダイヤルの中央開口に位置して押し下げ操作されるセンタキーとを有する入力装置であって、
円周上に電極パターンが形成されたプリント配線板と、
前記円周の中央に位置して前記プリント配線板上に構成された中央スイッチと、
前記円周の回りに配列されて前記プリント配線板上に構成された複数の周辺スイッチと、
前記プリント配線板上に実装され、前記電極パターンと前記複数の周辺スイッチとの間の円周上に配置された円筒部と、その円筒部の上端内周に突出形成された軸受部と、前記円筒部の下端外周に突出形成された複数の固定部と、それら固定部に変位可能に支持されて前記各周辺スイッチ上に配置された押圧部とを有するベースと、
円筒状をなして前記軸受部に支持される軸部と、その軸部の上端外周に突出形成された第１フランジ部と、その第１フランジ部の外周に下方に向かって設けられた段部と、その段部の下端外周に突出形成された第２フランジ部とを有するダイヤルベースと、
前記軸部の下端に取り付けられて前記軸部を前記軸受部から抜け止めすると共に、前記電極パターンと摺動接触する接触子を有する接点部材と、
前記中央開口を囲む環状をなす操作部と、その操作部の外周に設けられた周壁部と、その周壁部の下端外周に突出形成され、前記第２フランジ部の上面に密着固定される環状部とを有する前記ダイヤルと、
前記中央スイッチ上に位置する柱状部と、その柱状部の上端に設けられて前記中央開口から外部に臨むキー部と、そのキー部の外周に設けられて前記ダイヤルによって抜け止めされるフランジとを有する前記センタキーと、
円板状をなし、中央に取り付け穴を有するゴム部材とよりなり、
前記ゴム部材は前記フランジ下に位置し、前記柱状部が前記取り付け穴に圧入されて前記センタキーに固定され、
前記ゴム部材の周縁部に、前記第１フランジ部に向かって突出し、前記第１フランジ部の周縁部と摺動接触する環状突起部が形成され、
前記環状突起部及び前記段部の各外周面と前記周壁部の内周面との間にそれぞれ間隙が設けられていることを特徴とする入力装置。
【請求項２】
回転操作及び傾倒操作されるダイヤルと、そのダイヤルの中央開口に位置して押し下げ操作されるセンタキーとを有する入力装置であって、
円周上に電極パターンが形成されたプリント配線板と、
前記円周の中央に位置して前記プリント配線板上に構成された中央スイッチと、
前記円周の回りに配列されて前記プリント配線板上に構成された複数の周辺スイッチと、
前記プリント配線板上に実装され、前記電極パターンと前記複数の周辺スイッチとの間の円周上に配置された円筒部と、その円筒部の上端内周に突出形成された軸受部と、前記円筒部の下端外周に突出形成された複数の固定部と、それら固定部に変位可能に支持されて前記各周辺スイッチ上に配置された押圧部とを有するベースと、
円筒状をなして前記軸受部に支持される軸部と、その軸部の上端外周に突出形成された第１フランジ部と、その第１フランジ部の外周に下方に向かって設けられた段部と、その段部の下端外周に突出形成された第２フランジ部とを有するダイヤルベースと、
前記軸部の下端に取り付けられて前記軸部を前記軸受部から抜け止めすると共に、前記電極パターンと摺動接触する接触子を有する接点部材と、
前記中央開口を囲む環状をなす操作部と、その操作部の外周に設けられた周壁部と、その周壁部の下端外周に突出形成され、前記第２フランジ部の上面に密着固定される環状部とを有する前記ダイヤルと、
前記中央スイッチ上に位置する柱状部と、その柱状部の上端に設けられて前記中央開口から外部に臨むキー部と、そのキー部の外周に設けられたフランジとを有する前記センタキーと、
環状をなし、前記キー部を囲んで前記中央開口に位置された意匠板と、
円板状をなし、中央に取り付け穴を有するゴム部材とよりなり、
前記ゴム部材は前記フランジ下に位置し、前記柱状部が前記取り付け穴に圧入されて前記センタキーに固定され、
前記意匠板は、外周側が前記ゴム部材上に搭載固定され、内周側は前記フランジ上に位置して前記センタキーを抜け止めしており、
前記ゴム部材の周縁部に、前記第１フランジ部に向かって突出し、前記第１フランジ部の周縁部と摺動接触する環状突起部が形成され、
前記環状突起部及び前記段部の各外周面と前記周壁部の内周面との間にそれぞれ間隙が設けられていることを特徴とする入力装置。
【請求項３】
請求項２記載の入力装置において、
前記意匠板の下面に前記ゴム部材との固定用のボスが形成され、
前記ボスは前記ゴム部材を貫通しており、前記ダイヤルの傾倒操作時に前記第１フランジ部と突き当たることを特徴とする入力装置。
【請求項４】
請求項１乃至３記載のいずれかの入力装置において、
前記ゴム部材は径方向中間部に湾曲部を備えていることを特徴とする入力装置。
【請求項５】
請求項１乃至４記載のいずれかの入力装置において、
前記第１フランジ部の内周側に、前記ゴム部材に向かって突出して前記ゴム部材と接する環状突部が形成されていることを特徴とする入力装置。
【請求項６】
請求項１乃至５記載のいずれかの入力装置において、
前記ベースの前記円筒部の回りに環状をなすベースゴム部材が配置され、
前記ベースゴム部材は前記プリント配線板上に固定される外周部と、その外周部の内側に位置して前記第２フランジ部の下面周縁部と摺動接触する中間部と、その中間部の内側に位置する内周部とよりなり、
前記内周部には前記押圧部が位置することが可能な穴が複数形成されており、
前記中間部は断面逆Ｖ字状とされて弾性変形可能とされていることを特徴とする入力装置。
【請求項７】
請求項１乃至６記載のいずれかの入力装置において、
前記中央スイッチ及び周辺スイッチは、それぞれ前記プリント配線板に形成された固定接点と、その固定接点上に配置されたドーム状をなす可動接点とよりなり、
前記可動接点はカバーシートによって被われていることを特徴とする入力装置。
【発明の詳細な説明】
【技術分野】
【０００１】
この発明は回転操作及び傾倒操作されるダイヤルと、そのダイヤルの中央開口に位置して押し下げ操作されるセンタキーとを有する複合操作型の入力装置に関する。
【背景技術】
【０００２】
この種の入力装置は、例えば携帯電話機やデジタルカメラ、携帯情報端末などの機器の入力部に使用されている。図１１はこのような入力装置の従来例として、特許文献１に多機能形電子部品として記載されている構成を示したものである。
【０００３】
この多機能形電子部品は、支持部材１１上に、フレキシブル回路基板１２の第２回路基板部１２ｂと、取付台１３と、フレキシブル回路基板１２の第１回路基板部１２ａと、第２防滴部材１４と、摺動子１５を取り付けた回転体１６と、クリックバネ１７と、ケース１８と、第１防滴部材１９と、スペーサ部材２１と、押釦つまみ２２と、回転つまみ２３とを設置して構成されている。
【０００４】
フレキシブル回路基板１２の第１回路基板部１２ａには摺動子１５が摺接する摺接パターンが形成されており、第２回路基板部１２ｂの上面の中央には中央スイッチ２４が構成され、中央スイッチ２４の周囲には９０°間隔に４つの押圧スイッチ２５が構成されている。中央スイッチ２４及び押圧スイッチ２５はいずれも第２回路基板部１２ｂに形成されたスイッチパターン上にドーム形状の可動接点板を設置して構成されている。第２回路基板部１２ｂの上面には第１防滴シート２６が貼り付けられている。
【０００５】
ケース１８の上部に設置される回転つまみ２３は軸支部２３ａ及び軸支部２３ａ中央に設けられた開口部２３ｂを有し、軸支部２３ａはケース１８に設けられた開口１８ａ内に回転自在に挿入されている。回転体１６はケース１８の下部に設置され、回転つまみ２３の軸支部２３ａに連結されている。ケース１８は取付台１３に載置されている。
【０００６】
押釦つまみ２２は回転つまみ２３の開口部２３ｂ内に上下動自在に設置されている。押釦つまみ２２の押圧部２２ａは取付台１３中央の筒状突出部１３ａに上下に貫通して設けられた開口部１３ｂに挿通され、中央スイッチ２４上に位置されている。取付台１３の下面の各押圧スイッチ２５と対向する位置には下方に向かって突出する押圧部１３ｃが形成されており、各押圧部１３ｃは押圧スイッチ２５上に位置されている。取付台１３は回転つまみ２３の揺動に伴い、回転つまみ２３と共に揺動し、これにより押圧スイッチ２５は押圧操作される。
【０００７】
第１防滴部材１９はゴムなどの弾性部材で構成されている。第１防滴部材１９は回転つまみ２３の開口部２３ｂに軸支部２３ａよりも開口部２３ｂ側に張出すように設けられた張出し部２３ｃの下面と、回転体１６の上面との間に挟持される筒状の防滴挟持部１９ａと、防滴挟持部１９ａの内側の空間を覆って押釦つまみ２２が載置される覆い板部１９ｂとを有している。覆い板部１９ｂは根本部１９ｃと側壁部１９ｄとつまみ取付部１９ｅを具備して構成されている。つまみ取付部１９ｅには押釦つまみ２２の押圧部２２ａが挿通され、第１防滴部材取付部２２ｂが嵌め込まれて位置する取付孔１９ｆが形成されている。
【０００８】
第２防滴部材１４はゴムなどの弾性部材で構成され、回転体１６を囲むケース１８の側壁部１８ｂの外周から張出すつば部１８ｃの下面と、このつば部１８ｃの下面に対向する取付台１３の上面との間に、ケース１８の側壁部１８ｂを取り囲んだ状態で挟持されている。
【０００９】
この図１１に示した多機能形電子部品では、第１防滴部材１９によって回転つまみ２３の開口部２３ｂと押釦つまみ２２の間の隙間から浸入する液体が回転体１６側に、即ち摺動子１５と摺接パターンからなる電気的機能部側に浸入するのを防止することができ、また第２防滴部材１４によってケース１８と取付台１３の間の隙間から回転体１６側（電気的機能部側）に液体が浸入するのを防止することができるものとなっている。なお、図１１中、２７は外装ケースを示し、その開口部２７ａ内に回転つまみ２３が挿入設置されている。
【先行技術文献】
【特許文献】
【００１０】
【特許文献１】特開２００９−２３８７０７号公報
【発明の概要】
【発明が解決しようとする課題】
【００１１】
上述したように、図１１に示した従来の入力装置（多機能形電子部品）では摺動子と摺接パターンからなる電気的機能部側に液体が浸入するのを防止することができるものとなっており、これにより入り込んだ液体によって電気的機能部の電気的出力に誤動作が生じるといったような問題を解消することができるものとなっている。
【００１２】
回転操作により摺動子が摺動接触する電極パターン（摺接パターン）は露出しており、防滴性を確保することはこの種の入力装置において安定した性能を維持する上で重要な要素である。
【００１３】
一方、このような防滴性能に加え、防塵性能も重要な要素であり、この種の入力装置においては防塵防滴性能の向上が求められている。防塵性が劣ると、浸入した異物によって電気的性能が損なわれたり、操作感触が損なわれるといった状況が発生する。特に、回転体と非回転体（固定体）との間に異物が入り込み、異物が介在すると、回転操作時の操作感触が大きく損なわれるといった状況が発生する。
【００１４】
この点、図１１に示した従来の構成では回転つまみ２３の回転操作時に第１防滴部材１９は回転つまみ２３と同時に回る構造となっており、この第１防滴部材１９のつまみ取付部１９ｅの上に押釦つまみ２２が位置する構造となっている。つまみ取付部１９ｅの上面と押釦つまみ２２の下面との対向面積は大きく、この対向部分に異物が入り込むと異物は中に留まりやすく、よって異物の介在によって回転つまみ２３の回転操作時の操作感触が悪化しやすい構造となっている。加えて、回転つまみ２３の張出し部２３ｃと押釦つまみ２２のつば部２２ｃとの間にも異物が入り込んで留まりやすく、この点でも回転操作時の操作感触が悪化しやすい構造となっている。
【００１５】
この発明の目的は上述した問題に鑑み、防塵防滴性能に優れ、安定かつ良好な操作感触が得られるようにした入力装置を提供することにある。
【課題を解決するための手段】
【００１６】
請求項１の発明によれば、回転操作及び傾倒操作されるダイヤルと、そのダイヤルの中央開口に位置して押し下げ操作されるセンタキーとを有する入力装置は、円周上に電極パターンが形成されたプリント配線板と、前記円周の中央に位置してプリント配線板上に構成された中央スイッチと、前記円周の回りに配列されてプリント配線板上に構成された複数の周辺スイッチと、プリント配線板上に実装され、前記電極パターンと複数の周辺スイッチとの間の円周上に配置された円筒部と、その円筒部の上端内周に突出形成された軸受部と、円筒部の下端外周に突出形成された複数の固定部と、それら固定部に変位可能に支持されて各周辺スイッチ上に配置された押圧部とを有するベースと、円筒状をなして前記軸受部に支持される軸部と、その軸部の上端外周に突出形成された第１フランジ部と、その第１フランジ部の外周に下方に向かって設けられた段部と、その段部の下端外周に突出形成された第２フランジ部とを有するダイヤルベースと、前記軸部の下端に取り付けられて軸部を前記軸受部から抜け止めすると共に、前記電極パターンと摺動接触する接触子を有する接点部材と、前記中央開口を囲む環状をなす操作部と、その操作部の外周に設けられた周壁部と、その周壁部の下端外周に突出形成され、前記第２フランジ部の上面に密着固定される環状部とを有するダイヤルと、中央スイッチ上に位置する柱状部と、その柱状部の上端に設けられて前記中央開口から外部に臨むキー部と、そのキー部の外周に設けられてダイヤルによって抜け止めされるフランジとを有するセンタキーと、円板状をなし、中央に取り付け穴を有するゴム部材とよりなり、ゴム部材は前記フランジ下に位置し、前記柱状部が前記取り付け穴に圧入されてセンタキーに固定され、ゴム部材の周縁部に、前記第１フランジ部に向かって突出し、前記第１フランジ部の周縁部と摺動接触する環状突起部が形成され、前記環状突起部及び前記段部の各外周面と前記周壁部の内周面との間にそれぞれ間隙が設けられているものとされる。
【００１７】
請求項２の発明によれば、回転操作及び傾倒操作されるダイヤルと、そのダイヤルの中央開口に位置して押し下げ操作されるセンタキーとを有する入力装置は、円周上に電極パターンが形成されたプリント配線板と、前記円周の中央に位置してプリント配線板上に構成された中央スイッチと、前記円周の回りに配列されてプリント配線板上に構成された複数の周辺スイッチと、プリント配線板上に実装され、前記電極パターンと複数の周辺スイッチとの間の円周上に配置された円筒部と、その円筒部の上端内周に突出形成された軸受部と、円筒部の下端外周に突出形成された複数の固定部と、それら固定部に変位可能に支持されて各周辺スイッチ上に配置された押圧部とを有するベースと、円筒状をなして前記軸受部に支持される軸部と、その軸部の上端外周に突出形成された第１フランジ部と、その第１フランジ部の外周に下方に向かって設けられた段部と、その段部の下端外周に突出形成された第２フランジ部とを有するダイヤルベースと、前記軸部の下端に取り付けられて軸部を前記軸受部から抜け止めすると共に、前記電極パターンと摺動接触する接触子を有する接点部材と、前記中央開口を囲む環状をなす操作部と、その操作部の外周に設けられた周壁部と、その周壁部の下端外周に突出形成され、前記第２フランジ部の上面に密着固定される環状部とを有するダイヤルと、中央スイッチ上に位置する柱状部と、その柱状部の上端に設けられて前記中央開口から外部に臨むキー部と、そのキー部の外周に設けられたフランジとを有するセンタキーと、環状をなし、前記キー部を囲んで前記中央開口に位置された意匠板と、円板状をなし、中央に取り付け穴を有するゴム部材とよりなり、ゴム部材は前記フランジ下に位置し、前記柱状部が前記取り付け穴に圧入されてセンタキーに固定され、意匠板は外周側がゴム部材上に搭載固定され、内周側は前記フランジ上に位置してセンタキーを抜け止めしており、ゴム部材の周縁部に、前記第１フランジ部に向かって突出し、前記第１フランジ部の周縁部と摺動接触する環状突起部が形成され、前記環状突起部及び前記段部の各外周面と前記周壁部の内周面との間にそれぞれ間隙が設けられているものとされる。
【００１８】
請求項３の発明では請求項２の発明において、意匠板の下面にゴム部材との固定用のボスが形成され、前記ボスはゴム部材を貫通しており、ダイヤルの傾倒操作時に前記第１フランジ部と突き当たるものとされる。
【００１９】
請求項４の発明では請求項１乃至３のいずれかの発明において、ゴム部材は径方向中間部に湾曲部を備えている。
【００２０】
請求項５の発明では請求項１乃至４のいずれかの発明において、前記第１フランジ部の内周側に、ゴム部材に向かって突出してゴム部材と接する環状突部が形成されているものとされる。
【００２１】
請求項６の発明では請求項１乃至５のいずれかの発明において、ベースの円筒部の回りに環状をなすベースゴム部材が配置され、ベースゴム部材はプリント配線板上に固定される外周部と、その外周部の内側に位置して前記第２フランジ部の下面周縁部と摺動接触する中間部と、その中間部の内側に位置する内周部とよりなり、内周部には前記押圧部が位置することが可能な穴が複数形成され、中間部は断面逆Ｖ字状とされて弾性変形可能とされる。
【００２２】
請求項７の発明では請求項１乃至６記載のいずれかの入力装置において、中央スイッチ及び周辺スイッチは、それぞれプリント配線板に形成された固定接点と、その固定接点上に配置されたドーム状をなす可動接点とよりなり、可動接点はカバーシートによって被われているものとされる。
【発明の効果】
【００２３】
この発明によれば、中央スイッチを押し下げるセンタキーの柱状部を、円板状をなすゴム部材の中央の取り付け穴に圧入することによってゴム部材をセンタキーのフランジ下に位置させてセンタキーに固定し、ゴム部材の周縁部に設けた環状突起部をダイヤルベースに摺動接触させる構造となっている。よって、センタキーが位置する入力装置上面の部品間に存在する隙間から侵入する液体、塵等に対して良好な防塵防滴性能を得ることができる。隙間から侵入した液体や塵等に対してはゴム部材の環状突起部、ダイヤルベースの段部の各外周面とダイヤルの周壁部の内周面との間に設けた間隙によって逃げルートが確保されているため、露出している電極パターン部分への侵入を防止することができる。
【００２４】
加えて、侵入した異物がゴム部材の摺動接触部分に留まるといった状況は生じにくいため、異物の介在によってダイヤルの回転操作時の操作感触が悪化するという問題も生じにくいものとなっている。
【図面の簡単な説明】
【００２５】
【図１】Ａはこの発明による入力装置の第１の実施例を示す平面図、Ｂはその側面図。
【図２】図１ＡのＣ−Ｃ線拡大断面図。
【図３】図１に示した入力装置を分解して上方から見た斜視図（その１）。
【図４】図１に示した入力装置を分解して上方から見た斜視図（その２）。
【図５】図１に示した入力装置を分解して下方から見た斜視図（その１）。
【図６】図１に示した入力装置を分解して下方から見た斜視図（その２）。
【図７】この発明による入力装置の第２の実施例を示す断面図。
【図８】Ａは図７におけるダイヤル、センタキー、ゴム部材の上方から見た斜視図、ＢはＡの部品を下方から見た斜視図。
【図９】この発明による入力装置の第３の実施例を示す断面図。
【図１０】Ａは図９におけるダイヤル、センタキー、ゴム部材の上方から見た斜視図、ＢはＡの部品を下方から見た斜視図。
【図１１】入力装置の従来例を示す断面図。
【発明を実施するための形態】
【００２６】
この発明の実施形態を図面を参照して実施例により説明する。
【００２７】
図１はこの発明による入力装置の第１の実施例の外観を示したものであり、図２はその断面構造を示したものである。また、図３〜６は各部に分解して示したものである。まず、図３〜６を参照して各部の構成について説明する。
【００２８】
この例では入力装置はプレート３１と、両面テープ３２と、所定のパターンが形成され、かつその上面にスイッチが構成されたフレキシブルプリント配線板３３と、ベース３４と、バネ３５と、ダイヤルベース３６と、接点部材３７と、両面テープ３８と、ダイヤル３９と、意匠板４１と、センタキー４２と、センタキーベース４３と、ゴム部材４４と、ベースゴム部材４５とによって構成されている。
【００２９】
プレート３１は方形状をなす金属板よりなり、その４隅にはこの入力装置の取り付け固定用の穴３１ａが形成され、さらに位置決め用の穴３１ｂ，３１ｃが形成されている。また、各部の組み立てに使用する穴３１ｄ〜３１ｇが形成されている。
【００３０】
フレキシブルプリント配線板３３は円形部３３ａと、その円形部３３ａから延長形成されたケーブル部３３ｂとよりなる。円形部３３ａの中央には中央スイッチ５１が構成され、この中央スイッチ５１を囲む円周上には周辺スイッチ５２が構成されている。周辺スイッチ５２はこの例では９０°間隔で４つ配列されている。これら周辺スイッチ５２が配列されている円周と中央スイッチ５１との間にはロータリエンコーダ用の電極パターン５３が円周に沿って環状に配列形成されている。
【００３１】
中央スイッチ５１はこの例ではフレキシブルプリント配線板３３に形成された中央固定接点と、その上に配置されたドーム状をなす中央可動接点５１ａ（図２参照）とよりなり、この中央可動接点５１ａがクリック反転することによってＯＮ／ＯＦＦ動作するものとされる。同様に、周辺スイッチ５２はフレキシブルプリント配線板３３に形成された周辺固定接点と、その上に配置されたドーム状をなす周辺可動接点５２ａ（図２参照）とよりなり、周辺可動接点５２ａがクリック反転することによってＯＮ／ＯＦＦ動作するものとされる。なお、中央可動接点５１ａ上には円形のカバーシート５４が被され、一方、４つの周辺可動接点５２ａ上にはリング状をなすカバーシート５５が被され、これらカバーシート５４，５５によって中央可動接点５１ａ及び周辺可動接点５２ａはそれぞれ所定の位置に位置決め固定されると共に、中央スイッチ５１及び周辺スイッチ５２が保護されている。
【００３２】
フレキシブルプリント配線板３３及びカバーシート５４，５５にはそれらを貫通してベース３４取り付け用の８つの穴５６、ベースゴム部材４５取り付け用の４つの穴５７、センタキーベース４３取り付け用の２つの穴５８及びセンタキーベース位置決め用の穴５９が形成されており、上述したプレート３１に形成されている穴３１ｄ〜３１ｇはこれら穴５６〜５９とそれぞれ位置、大きさが一致されている。
【００３３】
ベース３４は環状をなし、円筒部３４ａと、その円筒部３４ａの上端内周に突出形成された軸受部３４ｂと、円筒部３４ａの下端外周に９０°間隔で突出形成された４つの固定部３４ｃと、４つの固定部３４ｃの各中間部分をつなぐ枠部３４ｄと、４つの押圧部３４ｅとを有している。４つの押圧部３４ｅは枠部３４ｄより内周側に位置し、周方向において４つの固定部３４ｃの各間に位置しており、各押圧部３４ｅは周方向において両側に位置する固定部３４ｃにそれぞれ弾性変形可能な支持梁３４ｆを介して支持され、変位可能とされている。
【００３４】
軸受部３４ｂの外周側には円弧状をなす長いスリット３４ｇが周方向に配列されて４つ形成されており、このようなスリット３４ｇを設けたことによって軸受部３４ｂの傾倒動作が容易とされている。なお、円筒部３４ａの上面にはボス３４ｈが周方向に配列されて４つ突出形成され、外周面には円弧状に切り欠かれた切り欠き３４ｉが周方向に配列されて４つ形成されている。また、４つの固定部３４ｃの下面にはそれぞれ長短２つのボス３４ｊが突出形成されており、２つのボス３４ｊの間にはそれぞれ穴３４ｋが貫通形成されている。
【００３５】
ダイヤルベース３６は円筒状をなす軸部３６ａと、軸部３６ａの上端外周に突出形成された第１フランジ部３６ｂと、第１フランジ部３６ｂの外周に下方に向かって延長されて設けられた段部３６ｃと、段部３６ｃの下端外周に突出形成された第２フランジ部３６ｄとを有する。第２フランジ部３６ｄの下面にはこの例では突部３６ｅが環状に突出形成されている。また、第１フランジ部３６ｂの上面の周縁部には環状突部３６ｆが突出形成され、さらに、上面の内周側にも環状突部３６ｇが突出形成されている。
【００３６】
軸部３６ａの外周面にはディテント機構を構成する凹凸３６ｈが周方向に配列されて形成されており、軸部３６ａの下端面にはボス３６ｉが３つ、周方向に配列されて突出形成されている。また、第２フランジ部３６ｄにはダイヤル３９との組み立てに用いる穴３６ｊが４つ、周方向に配列されて形成されている。
【００３７】
接点部材３７はリング形状とされ、その周方向３箇所には接触子３７ａが切り起こされて形成されている。また、ダイヤルベース３６のボス３６ｉが挿入される３つの穴３７ｂが形成されている。
【００３８】
ダイヤル３９は中央開口３９ａを囲む環状をなす操作部３９ｂと、その操作部３９ｂの外周に設けられた周壁部３９ｃと、周壁部３９ｃの下端外周に突出形成された環状部３９ｄとを有する。環状部３９ｄの外周にはこの例では周壁部３９ｃと対向して周壁部３９ｃとの間に溝を形成するように外周壁３９ｅが設けられている。環状部３９ｄの下面にはボス３９ｆが４つ、周方向に配列されて突出形成されている。なお、操作部３９ｂの上面（操作面）には微小凹凸３９ｇが周方向に配列されて形成されている。また、操作部３９ｂの内周端は下面側が切り欠かれて厚さが小とされている。
【００３９】
意匠板４１は環状をなし、その下面の周縁部にはボス４１ａが４つ、周方向に配列されて突出形成されている。意匠板４１の周縁部は上面側が切り欠かれて厚さが小とされている。一方、意匠板４１の内周面４１ｂは上面側から下面側に向かって径がわずかに増大するテーパ形状とされ、意匠板４１の下面には内周面４１ｂに続いて凹部４１ｃが環状に形成されている。
【００４０】
センタキー４２は円筒状をなし、その閉塞された一端面が操作面４２ａをなすキー部４２ｂと、操作面４２ａと反対側においてキー部４２ｂの外周に設けられたフランジ４２ｃと、操作面４２ａの裏面中央に突出形成された柱状部４２ｄと、柱状部４２ｄを囲んで操作面４２ａの裏面に突出形成された３本の位置決め軸４２ｅとを有する。柱状部４２ｄ及び位置決め軸４２ｅは共に円柱状とされている。
【００４１】
センタキーベース４３は円筒状をなし、その一端（上端）を閉塞する上板部４３ａの中央にはセンタキー４２の柱状部４２ｄが挿入される穴４３ｂが形成され、さらにこの穴４３ｂを囲んでセンタキー４２の３本の位置決め軸４２ｅが挿入される穴４３ｃが３つ、形成されている。上板部４３ａの裏面中央には円筒部４３ｄが突出形成されており、この円筒部４３ｄによって穴４３ｂは円筒部４３ｄの下端まで延長された形となっている。この穴４３ｂは下端から上端に向かって径が増大するテーパ形状をなすものとされている。センタキーベース４３の下端面には位置決め用のボス４３ｅ及び一対の組み立て用のボス４３ｆが突出形成されている。
【００４２】
ゴム部材４４は円板状をなし、中央にはセンタキー４２の柱状部４２ｄが圧入される取り付け穴４４ａが形成され、さらに取り付け穴４４ａを囲んでセンタキー４２の位置決め軸４２ｅが圧入される３つの穴４４ｂが形成されている。下面の周縁部には環状突起部４４ｃが突出形成されている。ゴム部材４４の径方向中間部は下面側に断面円弧状をなして突出するように湾曲されており、この湾曲部４４ｄより内側の内周部４４ｅは湾曲部４４ｄより外側の外周部４４ｆに対し、１段低くされている（図２参照）。外周部４４ｆには意匠板４１の４つのボス４１ａが挿入される穴４４ｇが周方向に配列されて４つ形成されている。また、内周部４４ｅの上面には突出部４４ｈが環状に形成されている。なお、ゴム部材４４の取り付け穴４４ａを囲む中央部分は上下に突出して厚さが大とされている。
【００４３】
ベースゴム部材４５は環状をなし、その外周部４５ａは厚さが大とされている。外周部４５ａの下面には９０°間隔で４つの溝４５ｂが形成されており、各溝４５ｂの底面にはボス４５ｃが突出形成されている。外周部４５ａの内側に位置する中間部４５ｄは厚さが小とされ、断面逆Ｖ字状（図２参照）とされて弾性変形可能とされている。中間部４５ｄの内側に位置する内周部４５ｅには穴４５ｆが周方向に配列されて４つ形成されている。中間部４５ｄは外周部４５ａ及び内周部４５ｅより上方に突出するように形成されている。なお、内周部４５ｅの内周端は上方に突出して厚さが大とされており、この内周面には円弧状に突出する突出部４５ｇが周方向に配列されて４つ形成されている。
【００４４】
ベース３４、ダイヤルベース３６、ダイヤル３９、意匠板４１、センタキー４２及びセンタキーベース４３は樹脂製とされる。ゴム部材４４及びベースゴム部材４５は例えばシリコーンゴム製とされる。接点部材３７は例えばリン青銅板を加工することによって形成され、その表面にはＡｕメッキが施されている。プレート３１は例えばステンレス製とされる。
【００４５】
各部の組み立ては以下のようにして行われる。
【００４６】
中央スイッチ５１及び周辺スイッチ５２が形成されたフレキシブルプリント配線板３３の円形部３３ａを両面テープ３２によりプレート３１上に固定する。この時、プレート３１の各穴３１ｄ〜３１ｇと、フレキシブルプリント配線板３３側の各穴５６〜５９の位置が一致される。
【００４７】
ベース３４の円筒部３４ａの回りに上方からベースゴム部材４５を嵌め込んで円筒部３４ａの回りにベースゴム部材４５を取り付ける。ベースゴム部材４５の内周面に形成されている４つの突出部４５ｇはベース３４の円筒部３４ａの外周面に形成されている４つの切り欠き３４ｉに位置される。ベース３４の４つの固定部３４ｃはベースゴム部材４５の４つの溝４５ｂに嵌め込まれ、溝４５ｂに形成されているボス４５ｃが固定部３４ｃに形成されている穴３４ｋにそれぞれ挿入される。また、ベース３４の４つの押圧部３４ｅはベースゴム部材４５の内周部４５ｅに形成されている４つの穴４５ｆに位置される。
【００４８】
次に、バネ３５をベース３４に取り付ける。バネ３５はこの例では両端が延ばされて、その先端にフック部３５ａが設けられたコイルバネとされており、２つのフック部３５ａがベース３４の円筒部３４ａの上面の隣接するボス３４ｈに引っ掛けられて取り付けられる。
【００４９】
次に、ベース３４の軸受部３４ｂに上方からダイヤルベース３６の軸部３６ａを挿入し、軸部３６ａの下端面に形成されている３つのボス３６ｉを接点部材３７の３つの穴３７ｂに挿入して接点部材３７を軸部３６ａの下端に取り付ける。そして、ボス３６ｉの先端を熱かしめする。ダイヤルベース３６の軸部３６ａは接点部材３７によって軸受部３４ｂから抜け止めされ、軸受部３４ｂに軸部３６ａが回転自在に支持される。また、バネ３５はダイヤルベース３６の凹凸３６ｈに弾性変形可能に接触される。
【００５０】
上記のようにして、ベースゴム部材４５、バネ３５、ダイヤルベース３６及び接点部材３７が取り付けられたベース３４をフレキシブルプリント配線板３３上に実装固定する。固定はベース３４の４つの固定部３４ｃのボス３４ｊを、それぞれ穴５６，３１ｄに順次挿入し、各固定部３４ｃの先端側に位置する長い方のボス３４ｊの先端を熱かしめすることによって行われる。各固定部３４ｃの基端側に位置する短い方のボス３４ｊは位置決めに使用される。円筒部３４ａは電極パターン５３と、４つの周辺スイッチ５２との間の円周上に位置される。なお、固定部３４ｃの穴３４ｋに挿入されて固定部３４ｃの下面から突出しているベースゴム部材４５のボス３４ｃは穴５７，３１ｅに順次挿入される。
【００５１】
次に、センタキーベース４３をフレキシブルプリント配線板３３上に取り付ける。この際、位置決め用のボス４３ｅが穴５９，３１ｇに順次挿入されて位置決めされ、組み立て用の一対のボス４３ｆが穴５８，３１ｆに順次挿入され、ボス４３ｆの先端が熱かしめされる。
【００５２】
次に、センタキー４２の柱状部４２ｄ及び３本の位置決め軸４２ｅを、ゴム部材４４の取り付け穴４４ａ及び３つの穴４４ｂにそれぞれ圧入することによって、ゴム部材４４をセンタキー４２に固定する。ゴム部材４４はセンタキー４２のフランジ４２ｃ下に位置し、内周部４４ｅの突出部４４ｈより外側部分がフランジ４２ｃの下面と接触される。ゴム部材４４の内周部４４ｅの上面に形成されている突出部４４ｈはセンタキー４２の円筒状をなすキー部４２ｂの内周に嵌め込まれて位置される。
【００５３】
次に、意匠板４１をゴム部材４４に取り付ける。取り付けは意匠板４１の４つのボス４１ａをゴム部材４４の４つの穴４４ｇに挿入することによって行われる。意匠板４１は外周側がゴム部材４４の外周部４４ｆ上に搭載されて固定される。
【００５４】
次に、上記のようにしてゴム部材４４及び意匠板４１が取り付けられたセンタキー４２をセンタキーベース４３に取り付ける。取り付けは柱状部４２ｄ及び３本の位置決め軸４２ｅをそれぞれセンタキーベース４３の穴４３ｂ，４３ｃに挿入することによって行われる。
【００５５】
次に、ダイヤル３９をダイヤルベース３６に取り付ける。ダイヤル３９の取り付けは、ダイヤル３９の環状部３９ｄの下面をダイヤルベース３６の第２フランジ部３６ｄの上面に両面テープ３８で密着固定することによって行われ、この際、環状部３９ｄの下面のボス３９ｆが第２フランジ部３６ｄの穴３６ｊに挿入されて位置される。ダイヤル３９はこのようにしてダイヤルベース３６に固定一体化され、ダイヤルベース３６及び接点部材３７はダイヤル３９と一体に回転するものとなる。以上により組み立てが完了する。
【００５６】
意匠板４１の厚さが小とされた周縁部上にはダイヤル３９の厚さとが小とされた内周端が位置し、これにより意匠板４１はダイヤル３９によって抜け止めされる。また、センタキー４２のフランジ４２ｃ上には意匠板４１の凹部４１ｃが形成されている内周端が位置し、これによりセンタキー４２は意匠板４１によって抜け止めされる。センタキー４２のキー部４２ｂはダイヤル３９の中央開口３９ａに位置して外部に臨み、意匠板４１はキー部４２ｂを囲んで中央開口３９ａに位置して同様に外部に臨む状態となる。
【００５７】
各周辺スイッチ５２の周辺可動接点５２ａ上には図２に示したようにベース３４の押圧部３４ｅが位置し、押圧部３４ｅ上にはダイヤルベース３６の突部３６ｅが位置する。一方、中央スイッチ５１の中央可動接点５１ａ上にはセンタキー４２の柱状部４２ｄが位置する。接点部材３７の３つの接触子３７ａは、その先端がフレキシブルプリント配線板３３の電極パターン５３と接触され、これら接触子３７ａと電極パターン５３とでロータリエンコーダが構成される。
【００５８】
ゴム部材４４はダイヤル３９、意匠板４１及びセンタキー４２で蓋された内部空間に位置し、ダイヤルベース３６の第１フランジ部３６ｂに向かって突出している環状突起部４４ｃはその先端が第１フランジ部３６ｂの周縁部に形成されている環状突部３６ｆの先端に軽く押し当てられて接触した状態となっている。また、第１フランジ部３６ｂの内周側にゴム部材４４に向かって突出している環状突部３６ｇはその先端がゴム部材４４の湾曲部４４ｄに軽く押し当てられて接触した状態となっている。ゴム部材４４の環状突起部４４ｃ、ダイヤルベース３６の環状突部３６ｆ及び段部３６ｃとダイヤル３９の周壁部３９ｃの内周面との間にはそれぞれ間隙ｄが設けられている。
【００５９】
ベースゴム部材４５の外周部４５ａはベース３４の、枠部３４ｄより外側に突出している４つの固定部３４ｃを挟み込んでフレキシブルプリント配線板３３上に搭載され、断面逆Ｖ字状をなす中間部４５ｄの上にダイヤルベース３６の第２フランジ部３６ｄが位置される。中間部４５ｄは第２フランジ部３６ｄに軽く押し当てられて接触した状態となっている。
【００６０】
上記のような構成とされた入力装置ではダイヤル３９が回転操作されると、接触子３７ａが電極パターン５３上を移動し（接触摺動し）、この移動を電気的に検出することによってダイヤル３９の回転が検出される。なお、この際、ダイヤルベース３６の凹凸３６ｈと接触しているバネ３５によってディテント機構が構成されているため、回転操作に伴い、操作感触が得られるものとなっている。
【００６１】
センタキー４２が押し下げ操作されると、その柱状部４２ｄによって中央スイッチ５１の中央可動接点５１ａが押されて中央スイッチ５１がＯＮとなる。押し下げ操作が解除されると、中央可動接点５１ａの復元力によってセンタキー４２は元の位置に復帰し、中央スイッチ５１はＯＦＦとなる。ゴム部材４４はこの例では径方向中間部に湾曲部４４ｄを有しており、この湾曲部４４ｄによってセンタキー４２が押し下げられた時、たわみやすい形状となっている。
【００６２】
一方、ダイヤル３９を押し、傾倒操作することにより、ダイヤルベース３６の第２フランジ部３６ｄの突部３６ｅ及びベース３４の押圧部３４ｅを介して傾倒側の周辺スイッチ５２の周辺可動接点５２ａが押されて周辺スイッチ５２がＯＮとなる。この際、ベース３４の軸受部３４ｂは傾倒操作に伴ってたわみ、ベースゴム部材４５の中間部４５ｄは傾倒操作に伴い、弾性変形する。
【００６３】
ダイヤル３９の傾倒操作時には、意匠板４１もダイヤル３９に押されてダイヤル３９と共に傾倒する。意匠板４１の傾倒を可能とすべく、センタキー４２と意匠板４１との間には所要の隙間が設けられている。また、ダイヤル３９の傾倒操作時にダイヤル３９と共に傾倒する意匠板４１によってセンタキー４２が若干押されるといった状況も生じうるが、このような状況においてもダイヤル３９の傾倒が阻害されることがないように、センタキー４２の柱状部４２ｄが挿入支持されているセンタキーベース４３の穴４３ｂはテーパ形状とされている。これにより、センタキー４２は若干傾くことができるものとなっている。
【００６４】
ダイヤル３９への傾倒操作が解除されると、周辺可動接点５２ａ、ベース３４の支持梁３４ｆ、軸受部３４ｂ及びベースゴム部材４５の中間部４５ｄの復元力によって押圧部３４ｅ、ダイヤルベース３６、ダイヤル３９及び意匠板４１は元の位置に復帰し、周辺スイッチ５２はＯＦＦとなる。
【００６５】
なお、意匠板４１のボス４１ａはゴム部材４４の穴４４ｇを貫通してゴム部材４４の下面より突出しており、ダイヤル３９の傾倒操作時にはボス４１ａはダイヤルベース３６の第１フランジ部３６ｂと突き当たってストッパ機能をなす。これによりダイヤル３９の過度な傾倒が防止されるものとなっている。
【００６６】
意匠板４１には、この例では図示を省略しているが、ダイヤル３９の傾倒操作方向と対応して、即ち各周辺スイッチ５２の位置と対応して、所定の意匠が設けられる。意匠は周辺スイッチ５２の機能、操作内容等を示す文字、記号、絵柄等とされ、用途に応じて適宜選択されて設けられる。
【００６７】
次に、この入力装置の防塵防滴性能について説明する。
【００６８】
第１の侵入経路であるセンタキー４２と意匠板４１の隙間及び第２の侵入経路である意匠板４１とダイヤル３９の隙間からの液体の侵入に対しては、ゴム部材４４が防滴性能を発揮する。ゴム部材４４はセンタキー４２のフランジ４２ｃ下に位置して中央部がセンタキー４２の柱状部４２ｄの回りに密着固定され、周縁部に設けられている環状突起部４４ｃはダイヤルベース３６の環状突部３６ｆに押し当てられているため、フレキシブルプリント配線板３３の露出している電極パターン５３部分への液体の侵入を防ぐことができる。
【００６９】
第１及び第２の侵入経路から侵入した液体はゴム部材４４上に留まる、もしくはゴム部材４４の環状突起部４４ｃ及びダイヤルベース３６の環状突部３６ｆ、段部３６ｃと、ダイヤル３９の周壁部３９ｃの内周面との間の間隙ｄの逃げルートに流れる構造となっている。
【００７０】
なお、ゴム部材４４の環状突起部４４ｃをダイヤルベース３６の環状突部３６ｆに強く押し当てると、ダイヤル３９の回転操作時の摺動摩擦力が大きくなって回転操作性が悪くなるため、強く押し当てることは好ましくない。よって、液体が環状突起部４４ｃと環状突部３６ｆの接触部（第１シーリング部）を通り越して侵入してしまう可能性があるが、この例ではダイヤルベース３６の第１フランジ部３６ｂの内周側にもう一つの環状突部３６ｇが設けられ、この環状突部３６ｇがゴム部材４４と接触して、第２シーリング部が構成されているため、この第２シーリング部によって電極パターン５３部分への液体の侵入を防ぐことができるものとなっている。なお、この第２シーリング部においても強く押し当てるとダイヤル３９の回転操作時の摺動摩擦力が大きくなって回転操作性が悪くなるため、強く押し当てることは好ましくないが、第１及び第２のシーリング部を有することで液体の侵入を効果的に防ぐことができる。
【００７１】
第１及び第２の侵入経路から侵入する塵や異物（微粒子）等に対しても同様に防塵性能を得ることができる。加えて、この例ではダイヤル３９の回転操作によって回転摺動するのは、上述した第１シーリング部と第２シーリング部であって、第１及び第２の侵入経路から異物が入り込んだとしても、これらの部分に異物が留まるといった状況は生じにくく、よって異物の介在によってダイヤル３９の回転操作時の操作感触が悪化するといった問題は生じにくいものとなっている。
【００７２】
なお、この例では第２シーリング部を具備するため、意匠板４１をゴム部材４４上に搭載固定する際、意匠板４１のボス４１ａはゴム部材４４の穴４４ｇに必ずしも圧入しなくてもよい。
【００７３】
ベースゴム部材４５は外装ケースとダイヤル３９の隙間からの液体、塵等の侵入に対して防塵防滴性能を発揮するものとなっている。この入力装置は図２に示したように一般に外装ケース６１の開口部６１ａにダイヤル３９が位置して露出されるものとなっている。外装ケース６１とダイヤル３９の隙間（第３の侵入経路）から例えば液体が侵入したとしても、ベースゴム部材４５の中間部４５ｄがダイヤルベース３６の第２フランジ部３６ｄの下面に押し当てられているため、液体の侵入を防ぐことができる。
【００７４】
なお、この部分においても中間部４５ｄを強くダイヤルベース３６に押し当てると、摺動摩擦力によりダイヤル３９の回転操作性が悪くなるため、強く押し当てることは好ましくなく、よって液体がこの部分を通り越してさらに侵入する可能性があるが、ベース３４の円筒部３４ａによって電極パターン５３部分への侵入は防止される。塵や異物等の侵入に対しても同様に防塵性能を得ることができる。
【００７５】
ベースゴム部材４５の外周部４５ａはフレキシブルプリント配線板３３上に実装されており、例えば外装ケース６１の内面側に図２に示したように環状突出部６１ｂを設けてその先端をベースゴム部材４５の外周部４５ａに密着させるようにすれば、この入力装置が取り付けられる機器内への液体、塵等の侵入も確実に防止することができる。
【００７６】
なお、ダイヤル３９の周壁部３９ｃと外周壁３９ｅとの間に形成された溝には、図２では外装ケース６１の開口部６１ａを囲む内周面に内面側に向かって突出形成された突部６１ｃが位置されるものとなっている。
【００７７】
図７はこの発明による入力装置の第２の実施例を示したものであり、この例では意匠板がない構成となっている。図８は図７におけるダイヤル３９’、センタキー４２及びゴム部材４４’の形状を示したものである。
【００７８】
この例ではセンタキー４２は第１の実施例と同じ形状とされており、ダイヤル３９’はその操作部３９ｂが中央開口３９ａを狭めるように中心に向かって延長された形状となっている。ゴム部材４４’は第１の実施例のゴム部材４４に対し、意匠板４１固定用の４つの穴４４ｇが削除されたものとなっている。
【００７９】
この例ではセンタキー４２とダイヤル３９’の隙間から液体、塵等が侵入するが、ゴム部材４４’の存在によって、それらの電極パターン３３部分への侵入は防止される。
【００８０】
図９はこの発明による入力装置の第３の実施例を示したものであり、第２の実施例と同様、意匠板がない構成となっている。図１０は図９におけるダイヤル３９、センタキー４２’及びゴム部材４４’’の形状を示したものである。
【００８１】
この例ではダイヤル３９は第１の実施例と同じ形状とされている。センタキー４２’はキー部４２ｂの径が拡大された形状となっており、さらにフランジ４２ｃの下面にボス４２ｆが周方向に配列されて４本突出形成されたものとなっている。これらボス４２ｆはゴム部材４４’’の外周部４４ｆに設けられている穴４４ｇに挿入され、第１の実施例における意匠板４１のボス４１ａと同様、ダイヤル３９の過度な傾倒を防止するストッパ機能をなすものとされている。なお、ゴム部材４４’’は第１の実施例のゴム部材４４に対し、突出部４４ｈが削除されたものとなっている。
【００８２】
この例においてもセンタキー４２’とダイヤル３９の隙間から侵入する液体、塵等の、電極パターン３３部分への侵入はゴム部材４４’’の存在によって防止される。
【００８３】
上述した実施例ではいずれもダイヤルベース３６の第１フランジ部３６ｂの上面の周縁部に環状突部３６ｆを設け、ゴム部材４４の環状突起部４４ｃがこの環状突部３６ｆに押し当てられるものとなっているが、環状突部３６ｆは必ずしも設けなくてもよく、環状突起部４４ｃが第１フランジ部３６ｂの上面に押し当てられる構造としてもよい。環状突起部４４ｃの先端形状は摺動摩擦力の増大を防ぐべく、断面円弧状の曲面とするのが好ましい。
【００８４】
ゴム部材４４，４４’，４４’’はシリコーンゴム等により形成されるが、ダイヤルベース３６との摺動性を向上させるべく、例えば２色成形等により環状突起部４４ｃの先端部を硬度の高いゴムによって構成するようにしてもよい。また、摺動性を向上させるべく、環状突起部４４ｃの先端部にコーティングを施すようにしてもよい。なお、ベースゴム部材４５の断面逆Ｖ字状をなす中間部４５ｄにもダイヤルベース３６との摺動性を向上させるべく、同様の手法を適用してもよい。
【符号の説明】
【００８５】
１１    支持部材                          １２    フレキシブル回路基板
１２ａ  第１回路基板部                    １２ｂ    第２回路基板部
１３    取付台                            １３ａ    筒状突出部
１３ｂ    開口部                          １３ｃ    押圧部
１４    第２防滴部材                      １５    摺動子
１６    回転体                            １７    クリックバネ
１８    ケース                            １８ａ    開口
１８ｂ    側壁部                          １８ｃ    つば部
１９    第１防滴部材                      １９ａ    防滴挟持部
１９ｂ    覆い板部                        １９ｃ    根本部
１９ｄ    側壁部                          １９ｅ    つまみ取付部
１９ｆ    取付孔                          ２１    スペーサ部材
２２    押釦つまみ                        ２２ａ    押圧部
２２ｂ    第１防滴部材取付部              ２２ｃ    つば部
２３    回転つまみ                        ２３ａ    軸支部
２３ｂ    開口部                          ２３ｃ    張出し部
２４    中央スイッチ                      ２５    押圧スイッチ
２６    第１防滴シート                    ２７    外装ケース
２７ａ    開口部                          ３１    プレート
３１ａ〜３１ｇ    穴                      ３２    両面テープ
３３    フレキシブルプリント配線板        ３３ａ    円形部
３３ｂ    ケーブル部                      ３４    ベース
３４ａ    円筒部                          ３４ｂ    軸受部
３４ｃ    固定部                          ３４ｄ    枠部
３４ｅ    押圧部                          ３４ｆ    支持梁
３４ｇ    スリット                        ３４ｈ    ボス
３４ｉ    切り欠き                        ３４ｊ    ボス
３４ｋ    穴                              ３５      バネ
３５ａ    フック部                        ３６    ダイヤルベース
３６ａ    軸部                            ３６ｂ    第１フランジ部
３６ｃ    段部                            ３６ｄ    第２フランジ部
３６ｅ    突部                            ３６ｆ，３６ｇ    環状突部
３６ｈ    凹凸                            ３６ｉ    ボス
３６ｊ    穴                              ３７    接点部材
３７ａ    接触子                          ３７ｂ    穴
３８    両面テープ                        ３９，３９’    ダイヤル
３９ａ    中央開口                        ３９ｂ    操作部
３９ｃ    周壁部                          ３９ｄ    環状部
３９ｅ    外周壁                          ３９ｆ    ボス
３９ｇ    微小凹凸                        ４１    意匠板
４１ａ    ボス                            ４１ｂ    内周面
４１ｃ    凹部                            ４２，４２’    センタキー
４２ａ    操作面                          ４２ｂ    キー部
４２ｃ    フランジ                        ４２ｄ    柱状部
４２ｅ    位置決め軸                      ４２ｆ    ボス
４３    センタキーベース                  ４３ａ    上板部
４３ｂ，４３ｃ    穴                      ４３ｄ    円筒部
４３ｅ，４３ｆ    ボス                    ４４，４４’，４４’’    ゴム部材
４４ａ    取付け穴                        ４４ｂ    穴
４４ｃ    環状突起部                      ４４ｄ    湾曲部
４４ｅ    内周部                          ４４ｆ    外周部
４４ｇ    穴                              ４４ｈ    突出部
４５    ベースゴム部材                    ４５ａ    外周部
４５ｂ    溝                              ４５ｃ    ボス
４５ｄ    中間部                          ４５ｅ    内周部
４５ｆ    穴                              ４５ｇ    突出部
５１    中央スイッチ                      ５１ａ    中央可動接点
５２    周辺スイッチ                      ５２ａ    周辺可動接点
５３    電極パターン                      ５４，５５    カバーシート
５６〜５９    穴                          ６１    外装ケース
６１ａ    開口部                          ６１ｂ    環状突出部
６１ｃ    突部
【要約】
【課題】防塵防滴性能に優れ、異物等の侵入によってダイヤルの回転操作時の操作感触が悪化することのない入力装置を提供する。
【解決手段】中央スイッチ５１を押し下げるセンタキー４２の柱状部４２ｄのまわりに、円板状をなし、中央に取り付け穴４４ａを有するゴム部材４４を圧入により固定してセンタキー４２のフランジ４２ｃ下に位置させる。ゴム部材４４の周縁部にダイヤルベース３６の第１フランジ部３６ｂの周縁部と摺動接触する環状突起部４４ｃを設ける。また、ゴム部材４４の環状突起部４４ｃ、ダイヤルベース３６の段部３６ｃの各外周面とダイヤル３９の周壁部３９ｃの内周面との間にそれぞれ間隙ｄを設ける。
【選択図】図２【図１】
0005483648.tif 000002
【図２】
0005483648.tif 000003
【図３】
0005483648.tif 000004
【図４】
0005483648.tif 000005
【図５】
0005483648.tif 000006
【図６】
0005483648.tif 000007
【図７】
0005483648.tif 000008
【図８】
0005483648.tif 000009
【図９】
0005483648.tif 000010
【図１０】
0005483648.tif 000011
【図１１】
0005483648.tif 000012